(57)【要約】頭上構造部材から器材を吊り下げる手段であって、一方の端部にニップルを備える吊り下げストランドと、その幅に較べて相当に長い長さを持つトグルプレートと、前記トグルプレート内のアパーチャーあって、トグルプレートの長手方向に細長いが、ニップルの通り抜けを阻止する幅を備える前記アパーチャーと、を含み、前記吊り下げストランドの自由端部は、前記トグルプレートがニップルと隣接するかニップルを拘束するまで前記アパーチャーを通り抜けることができるとともに、対をなすボアを有するロックデバイスを有し、前記ボアの少なくとも一方は、吊り下げストランドの前記自由端部が挿入方向とは反対方向に引き抜かれることを阻止する楔手段と関連する吊り下げ手段
2005503521.tif 000002
【特許請求の範囲】
【請求項１】
頭上構造部材から器材を吊り下げる手段であって、一方の端部にニップルを備える吊り下げストランドと、その幅に較べて相当に長い長さを持つトグルプレートと、前記トグルプレート内のアパーチャーあって、トグルプレートの長手方向に細長いが、ニップルの通り抜けを阻止する幅を備える前記アパーチャーと、を含み、前記吊り下げストランドの自由端部は、前記トグルプレートがニップルと隣接するかニップルを拘束するまで前記アパーチャーを通り抜けることができるとともに、対をなすボアを有するロックデバイスを有し、前記ボアの少なくとも一方は、吊り下げストランドの前記自由端部が挿入方向とは反対方向に引き抜かれることを阻止する楔手段と関連する吊り下げ手段。
【請求項２】
吊り下げストランドは、長いワイヤまたはワイヤロープである請求項１記載の器材吊り下げ手段。
【請求項３】
ニップルは、穴を備える別体の部材によって形成されており、ストランドの端部は、前記別体の部材の全部または一部を楔止めすることによって前記穴内で固定される請求項１または２記載の器材吊り下げ手段。
【請求項４】
前記別体の部材は、アパーチャーの両側においてトグルプレートの実質エリアと接する広がり形成部を備えるように形成されている請求項３記載の器材吊り下げ手段。
【請求項５】
ロックデバイスの各ボアは、ロックデバイスがどちらの側を上にしても使用することができるように楔手段と関連する請求項１〜４のいずれか１記載の器材吊り下げ手段。
【請求項６】
請求項１〜５のいずれか１記載の手段を用いて頭上構造部材から器材を吊り下げる方法であって、頭上部材には１つの穴があけられ、トグルプレートは、ニップルと隣接する吊り下げストランドと長手方向に密接アライメントをなすように角度が付与され、トグルプレートは、ニップルと一緒に前記頭上部材の穴を通過し、トグルプレートは、吊り下げストランドに対し、専ら直角に再アライメントされて穴の上部に架橋を施し、その後ストランドの自由端部がロックデバイスの一方のボアを通過し、次いで、器材に設けられた１つのアイを通過するか、器材を巻回し、そして、ロックデバイスの他方のボアを通り抜けて、ストランドが楔手段によって固定される吊り下げ方法。
【請求項７】
請求項１〜５のいずれか１記載の手段を用いて頭上構造部材から器材を吊り下げる方法であって、吊り下げようとする器材に穴をあけ、角度を付与されたトグルプレートがニップルと一緒に前記の穴を通されて、吊り下げストランドに対して専ら直角に再アライメントされ、穴の下部に架橋を施し、その後ストランドの自由端部がロックデバイスの一方のボアを通過し、次いで、頭上構造部材に設けられた１つのアイを通過するか、器材を跨ぎ、そして、ロックデバイスの他方のボアを通り抜けて、ストランドが楔手段によって固定される吊り下げ方法。
【請求項８】
器材が吊り下げられる高さが、ロックデバイスを上方に、場合によっては、下方に引っ張ることによって上方に調節される請求項６または７記載の器材吊り下げ方法。
【請求項９】
器材が吊り下げられる高さが、吊り下げストランドの自由端部をロックデバイスを介して更に引っ張ることによって上方に調節される請求項６または７記載の器材吊り下げ方法。
【請求項１０】
ロックデバイスの楔手段に一時的な釈放手段が設けられ、器材が吊り下げられる高さが、下方に調節される請求項６〜９のいずれか１記載の方法。
【請求項１１】
吊り下げストランドを、器材を巻回して通過させる場合に、プラスチック製のスリーブ部材が別の態様で器材に接することを目的として、吊り下げストランドの一部にスリップさせて被せられる請求項６記載の方法。
【請求項１２】
請求項１〜５のいずれか１記載のニップルを備える吊り下げストランドと、１つのアパーチャーを備えるトグルプレートと、ロックデバイスとを含む器材吊り下げ用キットであって、吊り下げようとする器材に接触させるために吊り下げストランドの一部にスリップさせて被せるプラスチック製のスリーブ部材をさらに含む器材吊り下げ用キット。
【請求項１３】
添付図面１、２および６を参照してこれまでに実質的に説明した頭上構造部材から器材を吊り下げる手段。
【請求項１４】
添付図面１〜５を参照してこれまでに実質的に説明した頭上構造部材から器材を吊り下げる方法。
【請求項１５】
添付図面７を参照してこれまでに実質的に説明した頭上構造部材から器材を吊り下げる方法。
【請求項１６】
添付図面８を参照してこれまでに実質的に説明した頭上構造部材から器材を吊り下げる方法。
【請求項１７】
添付図面９を参照してこれまでに実質的に説明した頭上構造部材から器材を吊り下げる方法。
【発明の詳細な説明】
【技術分野】
【０００１】
この発明は、(屋根、天井、ビームまたは大梁)のような頭上構造部材から(照明、暖房、中継回線または通風ユニット)のような吊り下げ器材を吊り下げるための手段と方法に関する。
【発明の開示】
【発明が解決しようとする課題】
【０００２】
この発明の課題は、(屋根、天井、ビームまたは大梁)のような頭上構造部材から(照明、暖房、中継回線または通風ユニット)のような吊り下げ器材を吊り下げるための手段と方法を見出すことである。
【課題を解決するための手段】
【０００３】
この発明の一様相によれば、頭上構造部材から器材を吊り下げる手段は、一方の端部にニップルを備える吊り下げストランドと、その幅に較べて相当に長い長さを持つトグルプレートと、前記トグルプレート内のアパーチャーあって、トグルプレートの長手方向に細長いが、ニップルの通り抜けを阻止する幅を備える前記アパーチャーと、を含み、前記吊り下げストランドの自由端部は、前記トグルプレートがニップルと隣接するかニップルを拘束するまで前記アパーチャーを通り抜けることができるとともに、対をなすボアを有するロックデバイスを有し、前記ボアの少なくとも一方は、吊り下げストランドの前記自由端部(すなわち、ニップルから遠い側)が挿入方向とは反対方向に引き抜かれることを阻止する楔手段(例えば、ボール、ローラー、またはウエッジ)と関連する。
【０００４】
したがって、この発明の頭上構造部材から器材を吊り下げる１つの方法においては、頭上構造部材に穴があけられ、トグルプレートが、ニップルと隣り合う吊り下げストランドと長さの方向において密接にアライメントするような角度をなし、トグルプレートは、ニップルと一緒に頭上部材の穴を通り抜けて、吊り下げストランドに対して専ら直角に再アライメントされて、穴の上面を架橋し、その後で、ストランドの自由端部がロックデバイスの一方のボアを通り抜け器材に設けられたアイを通過するか、または、器材を巻回して、ロックデバイスの他方のボアを通過して、ストランドが楔手段によって固定される。
【０００５】
この発明の別の方法においては、吊り下げようとする器材またはその支持部材に穴があけられ、角度の付けられたトグルプレートが、ニップルと一緒に前記の穴を通され、吊り下げストランドに対して専ら直角に再アライメントされ、前記穴の下側に架橋され、その後で、ストランドの自由端部が、ロックデバイスの一方の穴を通され、次に頭上構造体に設けられた１つのアイとロックデバイスの他方のボアを通り、ストランドは楔手段によって固定される。
【０００６】
どちらの方法にあっても、器材が吊り下げられる高さは、ロックデバイスを上方または場合によっては、下方に引っ張ることによって、上方に調節されることができ、或いは、吊り下げストランドの自由端部を、楔手段を一時的に釈放する手段を具備することができるロックデバイスを介して更に引っ張ることによって、器材が吊り下げられる高さを下方に調節することができる。
【０００７】
吊り下げストランドは、長いワイヤまたはワイヤロープまたは別体の部材によって形成されるニップルを備える他の任意の適当な材料であって差し支えなく、前記別体の部材は、その全部または一部が楔止めによってストランドの自由端部を固定する１つの穴を備えるとともに、アパーチャーの両側においてトグルプレートの実質エリアと接する広がり形成部を持つように形成される。
【０００８】
ロックデバイスの各ボアは、楔手段と関連するので、ロックデバイスは、どちらの向きにも用いることができる。
この発明の器材吊り下げキットは、ニップル付きの吊り下げストランドと、アパーチャー付きのトグルプレートと、前記のロックデバイスを含むとともに、吊り下げストランドの一部にスリップさせて被せるプラスチック製のスリーブ部材を含むことが可能で、このスリーブ部材は、吊り下げられる器材と接触して、例えば、振動や騒音を最小化することが期待される。前記のキットは更に、ストランドの自由端部がロックデバイスの第２のボアを通過した後に、吊り下げストランドの自由端部にツールによってテンションを付与するための盲リベット締めツール(blind rivetting tool)のようなテンションツールを含むことができる。
【発明を実施するための最良の形態】
【０００９】
この発明の具体例は、添付図面を参照しつつ例示のみを介して説明される。
図１〜図４は、一方の端部にある１つのニップル１１とトグルプレート１２を備える吊り下げストランド１０であって、前記トグルプレートは、その幅よりも相当に大きい長さを持ち、トグルプレートの長さ方向に細長いアパーチャー１３を備えているが、ニップル１１が前記アパーチャーを通り抜けることができない幅であり、ストランドの自由端部１４は、トグルプレートがニップルと隣り合って捕捉されるまで前記アパーチャーを通過する。
【００１０】
図１〜図３には、トグルプレート１２が、ニップル１１と隣り合ってストランド１０と長さの方向に近い角度をなしてアライメントされた状態で示されており、ニップルとトグルプレートが、図３に示されるように、頭上構造部材１６の穴１５を通り抜けて、次いで、トグルプレートが、図４に示すようにストランドに対して専ら直交するようにアライメントし直されて、穴の上部で架橋された状態となる。そのあとで、ストランドの自由端部１４が、図５、図６に示すように、楔手段１９Ａ、１９Ｂと関連する一対のボア１７Ａ、１７Ｂを備えるロックデバイス１８の一方のボア１７Ａを通されており、前記楔手段１９Ａ、１９Ｂは、ストランドの前記自由端が挿入方向の反対側の方向に引き抜かれることを阻止する。さらには、図５に示すように、ストランドの自由端部は、吊り下げようとする器材２１に設けられた１つのアイ２０と、ロックデバイス１８の他方のボア１７Ｂとを通されて、器材を頭上構造部材から吊り下げた状態に固定する。
【００１１】
ニップル１１は、孔２２を備える別体の部材によって形成されており、ストランド１０の端部が、別体の部材の楔状部によって固定されており、ニップルの残部は、広がり形成部２３であって、アパーチャー１３の両側においてトグルプレート１２の実質エリアと接触する。
【００１２】
図５に示される位置にあるデバイスのボア１７Ｂ内の楔手段１７Ｂは、器材２１を頭上構造部材１６から吊り下げて固定するのに充分ではあるが、両ボア１７Ａ、１７Ｂ内に楔手段を設けることは、ロックデバイス１８がどちら側を上にしても使用することができるので好ましい。器材が吊り下げられる高さは、コネクタを上に引っ張るか、ストランドの自由端部１４を、１つのテンションツール(図示は省略するが、例えば、盲リベット締め具(blind rivetting tool))によって、ロックデバイスを介して更に引っ張ることによって、上方に調節することができる。この高さを下方に調節するには、ロックデバイスが、以下の説明において詳しく述べるように、その楔手段を一時的に釈放する手段を備えることである。
【００１３】
図６からわかるように、楔手段１９Ａ、１９Ｂは、ロックデバイス１８の本体２５内に、各チャンネル２４Ａ、２４Ｂに沿ってスライドすることができる楔を含んでおり、前記の各チャンネルは、各ボアの入口端部２７Ａ、２７Ｂに向かう(薄壁２６によって分離された)一対のボア１７Ａ、１７Ｂの各一方と連通するように、鋭角に収束しており、楔部材１９Ａ、１９Ｂは、楔部材と各ボア１７Ａ、１７Ｂの出口３１Ａ、３１Ｂに隣接する窪んだ接触部材３０Ａ、３０Ｂとの間の圧縮ばね２９Ａ、２９Ｂの付勢の下に、(挿入されたとき)ストランド１０とグリップ係合するための横断方向のリブ２８(または歯またはその他の表面形成部)を備えている。ロックデバイス１８の本体２５内のアパーチャー３２Ａ、３２Ｂは、それぞれ、各チャンネル２４Ａ、２４Ｂ内に向かう内側端部開口を有しており、各楔部材をそのばねの付勢に抗してチャンネル内に移動するために押圧される(図示しない)分離ツールのための案内部材として利用することができ、ロックデバイスの位置をストランドに関して調節するために、ストランドを一時的に釈放することができ、それによって、吊り下げられた器材２１の高さを調節することができる。
【００１４】
図７には、器材２１の１つのアイテムまたは器材のアイテムの支持体が、一対のストランド１０と一対のロックデバイス１８によって、吊り下げられている様子が示されているが、器材にアイを設ける代わりに、ストランドの自由端部が、デバイス１８内のボア１７Ａを通り抜けた後であって、ボア１７Ｂを通過する前に、前記自由端部が、器材を巻回しており、プラスチックの長いスリーブ部材３３が、吊り下げストランドの一部に亘ってスリップして被せられるので、これらのストランドは、別の態様で、例えば、振動や騒音を最小化して器材と接触する。
【００１５】
図８、図９のそれぞれにおいては、穴３４が器材２１のアイテム内に設けられ、ストランド１０において傾いたトグルプレート１２が、ニップル１１と一緒に前記の穴を通り抜け、ストランドに対して専ら直角になるように再アライメントされており、その後、図８においては、ストランドの自由端部１４がデバイス１８の一方のボア１７Ａを通り抜け、次いで、頭上構造部材１６に設けられた１つのアイ３５とロックデバイスの他方のボア１７Ｂとを通過し、ストランドが楔手段によって固定されている。これに対し、図９においては、ストランドが、デバイス１８内のボア１７Ａを通過した後であって、ロックデバイスの他方のボア１７Ｂを通過する前に、部材１６を巻回される。
【００１６】
図８または図９の態様で吊り下げられる器材の高さは、ロックデバイス１８を下方に引っ張ることによって上方に調節されるか、或いは、吊り下げストランド１０の自由端部をロックデバイスを介して更に引っ張ることによって調節することができる。再度言及するが、楔手段の一時的な釈放手段が、図６に説明したように設けられることができ、器材が吊り下げられる高さが下方に調節されることが可能である。
【図面の簡単な説明】
【００１７】
【図１】この発明のニップルとトグルプレートを備える吊り下げ用ストランドの正面図。
【図２】左側から眺めた図１のストランドの上端部の正面図。
【００１８】
【図３】図２に対応するが、ニップルとトグルプレートが、頭上構造部材の穴を通されている図。
【図４】図３に対応するが、ニップルが穴を通って抜け出さないようにトグルプレートが配置された図。
【図５】図４の下方延出部を示す図であって、ストランドが、頭上構造部材から器材を吊り下げるためのロックデバイスと一緒に用いることができるこの発明の１つの方法を示す。
【図６】ロックデバイスの長手方向拡大断面図。
【図７】図１〜図４の吊り下げストランドの対と図５、図６のロックデバイスの対を示す小規模の正面図であって、これらを用いるこの発明の別の方法を示す。
【図８】この発明の頭上構造部材から器材を吊り下げる別の２つの方法を示す別の小規模の正面図。
【図９】図８と同様な図。
【図１】
2005503521.tif 000003
【図２】
2005503521.tif 000004
【図３】
2005503521.tif 000005
【図４】
2005503521.tif 000006
【図５】
2005503521.tif 000007
【図６】
2005503521.tif 000008
【図７】
2005503521.tif 000009
【図８】
2005503521.tif 000010
【図９】
2005503521.tif 000011
【国際公開パンフレット】
2005503521.tif 000012
2005503521.tif 000013
2005503521.tif 000014
2005503521.tif 000015
2005503521.tif 000016
2005503521.tif 000017
2005503521.tif 000018
2005503521.tif 000019
2005503521.tif 000020
2005503521.tif 000021
2005503521.tif 000022
2005503521.tif 000023
2005503521.tif 000024
【国際調査報告】
2005503521.tif 000025
2005503521.tif 000026
2005503521.tif 000027